(57)【要約】【課題】  簡易な構成で不審者の侵入を検知することを可能とするインターホン装置を提供する。【解決手段】  居室親機２にフィルタ回路１８、増幅回路１９を設け、通話のためのマイク１１で集音した音をフィルタ回路１８に通してガラス破壊音以外のノイズを除去し、増幅回路１９で増幅した後、親機ＣＰＵ１７に入力してガラス破壊発生を親機ＣＰＵ１７で判断させた。親機ＣＰＵ１７は、記憶している雑音レベルに対して２０ｄＢ大きな入力があったらガラス破壊発生と判断し、スピーカ１２から警報音を鳴動させると同時に、他の居室親機２及び玄関子機１に警報発報を促す警報信号を送信する。【選択図】  図２
2007228287.tif 000002
【特許請求の範囲】
【請求項１】
玄関に設置されて居住者を呼び出すための玄関子機と、居室内に設置されて呼び出しに応答するための少なくとも１台の居室親機とを有するインターホン装置であって、
前記居室親機は、周囲の音を集音する集音手段と、集音した音から異常音成分を抽出する抽出手段と、異常音発生を判断する異常音判断手段と、異常音発生を報知する報知手段とを有し、
前記異常音判断手段は、抽出された異常音情報を基に異常音発生を判断し、異常音発生と判断したら前記報知手段を報知動作させることを有することを特徴とするインターホン装置。
【請求項２】
前記集音手段が前記玄関子機と通話するためのマイクであり、前記報知手段が前記玄関子機と通話するためのスピーカであることを特徴とする請求項１記載のインターホン装置。
【請求項３】
前記居室親機が複数接続されている場合は、異常音を検知した居室親機の異常音判断手段は、他の居室親機に異常音発生を通知することを特徴とする請求項１又は２記載のインターホン装置。
【請求項４】
前記異常音判断手段は、異常音発生と判断したら前記玄関子機に異常音発生を通知することを特徴とする請求項１乃至３の何れかに記載のインターホン装置。
【請求項５】
前記抽出手段は、ガラス破壊時に発生する破壊音を抽出する周波数特性を有するフィルタ回路であることを特徴とする請求項１乃至４の何れかに記載のインターホン装置。
【請求項６】
前記異常音判断手段は、前記集音手段から常時入力される音を基準レベルに設定し、抽出した音が前記基準レベルに対して一定以上の音量を有する場合に、異常音発生と判断することを特徴とする請求項１乃至５の何れかに記載のインターホン装置。
【発明の詳細な説明】
【技術分野】
【０００１】
本発明は、インターホン装置に関し、特に防犯機能を備えたインターホン装置に関する。
【背景技術】
【０００２】
従来よりインターホン装置に防犯機能を備えたものがある。このようなインターホン装置としては、玄関扉等の開閉部にセンサを取り付けて警戒設定時に開操作が成されたら警報を発したり、人感センサを室内に設けて、不審者の侵入を検知したら警報を発するよう構成されたものがある（例えば、特許文献１参照）。
【特許文献１】特開２００３−１９８７４１号公報
【発明の開示】
【発明が解決しようとする課題】
【０００３】
しかしながら、上記従来のインターホン装置においては、ドアや窓が開けられたことや不審者の侵入を検知することができるが、近接センサや人感センサ等の高価なセンサをインターホン機器とは別に設置する必要があるし、その配線工事も必要なため、高価なシステムとなっていた。                                    
そこで、本発明はこのような問題点に鑑み、簡易な構成で不審者の侵入を検知することを可能とするインターホン装置を提供することを目的としている。
【課題を解決するための手段】
【０００４】
上記課題を解決する為に、請求項１に記載の発明は、玄関に設置されて居住者を呼び出すための玄関子機と、居室内に設置されて呼び出しに応答するための少なくとも１台の居室親機とを有するインターホン装置であって、居室親機は、周囲の音を集音する集音手段と、集音した音から異常音成分を抽出する抽出手段と、異常音発生を判断する異常音判断手段と、異常音発生を報知する報知手段とを有し、異常音判断手段は、抽出された異常音情報を基に異常音発生を判断し、異常音発生と判断したら報知手段を報知動作させることを特徴とする。
この構成により、例えばガラスが割れるような通常の生活の中ではあり得ない音が発生したらそれを検知して、警報を発するよう動作させることが可能となり、人感センサ等のセンサを別途設置する事無く簡易な構成で不審者の検知が可能となる。
【０００５】
請求項２の発明は、請求項１に記載の発明において、集音手段が玄関子機と通話するためのマイクであり、報知手段が玄関子機と通話するためのスピーカであることを特徴とする。
この構成により、集音手段や報知手段を新たに備える必要がないので、更に安価に構成できる。
【０００６】
請求項３の発明は、請求項１又は２記載の発明において、居室親機が複数接続されている場合は、異常音を検知した居室親機の異常音判断手段は、他の居室親機に異常音発生を通知することを特徴とする。
この構成により、他の居室でも警報音を発報させることができので、居住者がいる場合は警報に気づきやすい。また、侵入した不審者に対しては、複数箇所で同時に警報発報が成されることで動揺させる効果を奏する。
【０００７】
請求項４の発明は、請求項１乃至３の何れかに記載の発明において、異常音判断手段は、異常音発生と判断したら玄関子機に異常音発生を通知することを特徴とする。
この構成により、居室内だけでなく玄関先でも警報音を発報させることができ、近隣の住人等の居室外の人に対しても不審者の侵入を報知することができる。
【０００８】
請求項５の発明は、請求項１乃至４の何れかに記載の発明において、抽出手段は、ガラス破壊時に発生する破壊音を抽出する周波数特性を有するフィルタ回路であることを特徴とする。
この構成により、窓ガラス等のガラス破壊音を抽出して検知するので、ガラスを割って侵入する不審者を確実に検知できる。
【０００９】
請求項６の発明は、請求項１乃至５の何れかに記載の発明において、異常音判断手段は、集音手段から常時入力される音を基準レベルに設定し、抽出した音が基準レベルに対して一定以上の音量を有する場合に、異常音発生と判断することを特徴とする。
この構成により、異常音判定レベルが自動設定されるので、誤動作を無くすことができるし、基準レベルを居室親機毎に設定する必要が無くなる。
【発明の効果】
【００１０】
本発明によれば、ガラスが割れるような通常の生活の中ではあり得ない音が発生したら異常音発生と判断して警報を発するので、人感センサ等を設置する事無く簡易な構成で不審者の検知が可能となる。
【発明を実施するための最良の形態】
【００１１】
以下、本発明を具体化した実施の形態を、図面に基づいて詳細に説明する。図１は、本発明に係るインターホン装置の一例を示す構成図であり、玄関に設置されて居住者を呼び出すための玄関子機１と、居室内に設置されて呼び出しに応答するための２台の居室親機２（２ａ，２ｂ）を備え、それぞれは伝送線Ｌ１、Ｌ２によって接続されている。
【００１２】
玄関子機１は、居住者を呼び出すための呼出ボタン５、通話する為のマイク６及びスピーカ７、更に来訪者を撮像するカメラ８を備えている。また、居室親機２は通話するためのハンドセット１０、ハンズフリー通話のためのマイク１１及びスピーカ１２、カメラ８の撮像映像を出画するモニタ１３、このモニタ前面に設けられたタッチパネルから成る操作部１４を備えている。
【００１３】
図２は、本発明の要部を示し図１に示す連結された２台の居室親機２の回路ブロック図を示している。但し、本発明を構成する回路ブロックのみ示し、通話のための回路や映像出画の為の回路等は省略してある。図２において、１７は居室親機を制御する親機ＣＰＵ、１８は異常音を抽出する抽出手段としてのフィルタ回路、１９は抽出した異常音を増幅する増幅回路であり、マイク１１は集音手段として使用され、居室内で発生する音を集音する。集音した音はフィルタ回路１８、増幅回路１９を介して親機ＣＰＵ１７に入力される。
【００１４】
フィルタ回路１８は、ガラス破壊時に発生する衝撃音以外の周波数成分を除去して衝撃音を抽出する特性を有し、ここでは２０ｋＨｚ以下の周波数成分を除去するハイパスフィルタ回路となっている。尚、ガラス破壊時の衝撃音には、２０ｋＨｚ以上の超音波成分を多く含んでいることが知られている。
【００１５】
以下、上記インターホン装置の動作を説明する。尚、インターホンの基本動作である玄関子機からの呼び出し、及びこの呼び出しを受けて成される居室親機と玄関子機の間の通話動作は省略し、異常音を検知した場合の動作を説明する。親機ＣＰＵ１７は異常音判断手段として作用し、常時マイク１１をオン状態にして周囲の音を集音し、定常的にマイク１１が集音する音量を雑音レベルとして記憶する。そして、この記憶した雑音レベルを基準レベルとして異常音発生の判断を行う。
【００１６】
具体的には、一方の居室親機２ａが設置されている例えばリビングルームの窓ガラスが侵入者等により割られると、居室親機２ａのマイク１１にガラスが破壊された衝撃音が集音される。この衝撃音はフィルタ回路１８を通ることで他の雑音が除去され、増幅回路１９で抽出音が増幅されて親機ＣＰＵ１７に入力される。親機ＣＰＵ１７は、入力された衝撃音を基準レベル（記憶している雑音レベル）と比較して、基準レベルより例えば２０ｄＢ大きい入力があったらガラス破壊発生と判断し、スピーカ１２から例えば「緊急事態が発生しました」と音声で構成される警報音を鳴動させる。このとき警報音として発せられる文言は、予め音声メモリ（図示せず）に記憶させてあり、発報時に取り出して使用される。
【００１７】
また、親機ＣＰＵ１７は、ガラス破壊発生を判断したら伝送線路Ｌ１、Ｌ２を介して玄関子機１、及び他の居室親機２ｂにガラス破壊発生を通知する警報信号を送出する。この信号を受けて、玄関子機１及び他の居室親機２ｂも夫々のスピーカ７，１２から警報音を鳴動させる。
この場合、玄関子機１からも同様に「緊急事態が発生しました」と音声により警報音を鳴動させると良いし、他の居室親機２ｂからは「リビングルームで緊急事態です」と鳴動させれば、緊急事態発生場所が解り易くなるので好ましいし、侵入者に対しても動揺させて、早期に退散させる効果を奏する。
【００１８】
このように、ガラスが割れるような通常の生活の中ではあり得ない音が発生したら、それを検知して警報を発するので、人感センサ等のセンサを別途設置する事無く簡易な構成で不審者の検知が可能となる。そして、インターホン装置に元々備わっているマイク及びスピーカを使用して異常音の検知及び警報発報の動作を行うので、集音手段や報知手段を新たに備える必要がなく更に安価に構成できる。
また、他の居室でも警報音を発報することで、居住者がいる場合は警報に気づきやすいし、侵入した不審者に対しては、複数箇所で同時に警報発報が成されることで動揺させる効果を奏する。
更に、玄関先でも警報音を発報させることで、近隣の住人等の居室外の人に対しても不審者の侵入を報知することができ、居住者が留守の場合でも侵入者に対処することが可能となる。
また、異常音判定レベルを自動設定するので、誤動作を無くすことができるし、設置場所に合うよう基準レベルを個々に設定する作業が必要無くなる。
【００１９】
尚、上記実施形態ではフィルタ回路１８の後に増幅回路１９を備えているが、フィルタ回路だけでも異常音の検知は可能である。また、ガラス破壊音に限定して記載しているが、例えばガラスを切断する音を合わせて検知するよう構成しても良いし、ドリル音等、特異な周波数特性を有する音を別途抽出する構成としても良く、雑音と区別できる特性を有する音であれば検出することが可能であり、防犯に活用できる。
また、逆に特定の周波数に限定せず、大音量を検知するだけでも防犯には有効であり、この場合フィルタ回路も必要無くなる。
更に、玄関子機１でも発報する構成を示しているが、誤動作による近隣への不安を煽らないように、居室親機２のみで発報する構成としても良い。
【００２０】
更に、集音手段であるマイクは、居室親機とは別に窓ガラス付近に設置しても良いし、判定レベルを雑音レベルに対して２０ｄＢのレベル差を設けて判断しているが、この判断レベルは設置状況に応じて変更されるもので、操作部１４において任意に変更することができる。また、玄関子機１が１つ、居室親機２が２台の例で説明したが、それぞれの数を変更したとしても同様の効果を有することはいうまでもない。
【図面の簡単な説明】
【００２１】
【図１】本発明に係るインターホン装置の実施形態の一例を示す構成図である。
【図２】図１の居室親機の要部回路ブロック図でる。
【符号の説明】
【００２２】
１・・玄関子機、２・・居室親機、１１・・マイク（集音手段）、１２・・スピーカ（報知手段）、１７・・親機ＣＰＵ（異常音判定手段）、１８・・フィルタ回路（抽出手段）、１９・・増幅回路。
【図１】
2007228287.tif 000003
【図２】
2007228287.tif 000004